(57)【要約】【課題】低コストでかつ手間のかからない簡単な方法で分子量マーカーを保存できる保存方法及び保存容器を提供する。【解決手段】分子量マーカーの保存方法であって、基部２に設けられた格納部４に分子量マーカーを乾燥させた状態で常温保存する。【選択図】図１
2014042150.tif 000002
【特許請求の範囲】
【請求項１】
電気泳動にて採用される分子量マーカー又は電気泳動にてその分子量が推定されるタンパク質，抗体等の検体を保存する保存方法であって、
前記分子量マーカー又は前記検体を、基部に設けられた格納部に保持させて乾燥させた状態で常温保存することを特徴とする保存方法。
【請求項２】
請求項１に記載の保存方法において、
前記格納部は、前記基部に取り付けられた濾紙あるいは不織布等からなり、該濾紙あるいは不織布等に前記分子量マーカー又は検体を塗布した後、常温乾燥または減圧乾燥することを特徴とする保存方法。
【請求項３】
請求項２に記載の保存方法において、
前記格納部には、グリセロールを含まない分子量マーカーが塗布されていることを特徴とする保存方法。
【請求項４】
請求項３に記載の保存方法において、
前記グリセロールを含まない分子量マーカーに糖、アルコール、化合物等の保護剤を混合してなる混合液を前記格納部に塗布した後、常温乾燥又は減圧乾燥することを特徴とする保存方法。
【請求項５】
請求項１ないし４の何れかに記載の保存方法において、
前記分子量マーカー又は検体が塗布された格納部を乾燥させた後、密閉した状態で保存することを特徴とする保存方法。
【請求項６】
請求項１ないし５の何れかに記載の保存方法において、
前記格納部は、泳動用ゲルに形成された収納凹部に差し込んだ状態で電気泳動装置に供されることを特徴とする保存方法。
【請求項７】
電気泳動にて採用される分子量マーカー又は電気泳動にてその分子量が推定されるタンパク質，抗体等の検体を保存する保存容器であって、
基部と、該基部の一端部に形成された支持部と、該支持部に取り付けられた格納部とを有し、該格納部に前記分子量マーカー又は前記検体が乾燥した状態で格納されていることを特徴とする保存容器。
【請求項８】
請求項７に記載の保存容器において、
前記格納部は、泳動用ゲルに形成された収納凹部に差し込んだ状態で電気泳動装置に供されることを特徴とする保存容器。
【請求項９】
請求項７又は８に記載の保存容器において、
前記基部は、帯板状をなし、前記支持部の反対側端部が連結板に所定間隔をあけて並列に、かつ切り離し可能に連結されていることを特徴とする保存容器。
【発明の詳細な説明】
【技術分野】
【０００１】
本発明は、例えばタンパク質の分子量を電気泳動により推定する際に基準となる分子量マーカー又は電気泳動によりその分子量が推定されるタンパク質，抗体等の検体を保存するようにした保存方法及び保存容器に関する。
【背景技術】
【０００２】
遺伝子工学，医学，生物学あるいは生化学等の分野においては、ＤＮＡやタンパク質，あるいは抗体等の検体を分子量，分子サイズに応じて分離分析する場合、分子量マーカーを用いた電気泳動が広く利用されている。【０００３】
このような分子量マーカーは、分子量が既知の複数のタンパク質を液体状態で保存するのが一般的である。例えば、特許文献１には、タンパク質分子量マーカーを液体状態で４〜２２℃の常温で保存し、もしくは−２０℃で冷凍保存するようにした技術が開示されている。この場合、液体状の分子量マーカーを常温で保存すると劣化し易く、保存可能期間が短くなることから、冷凍保存するのが好ましいとされている。また前記タンパク質，抗体等の検体においても分子量マーカーと同様に液体状態で保存されるのが一般的である。
【先行技術文献】
【特許文献】
【０００４】
【特許文献１】特表２００８−５４７０３５号公報
【発明の概要】
【発明が解決しようとする課題】
【０００５】
しかし、前記分子量マーカー又は検体を冷凍保存する場合は、長期間の保存が可能であるものの、冷凍保存するための冷凍設備を要し、また使用時には室温にて解凍する必要があることから、コスト高になるとともに、手間がかかり、使い勝手が悪いという問題がある。【０００６】
また前記解凍した分子量マーカー又は検体を電気泳動装置に供するには、ピペット等の分注器により吸い上げて少量ずつ泳動用ゲルに分注する作業を要し、この点からも手間がかかり、使い勝手が悪いという問題がある。【０００７】
本発明は、前記従来の実情に鑑みてなされたもので、低コストでかつ手間のかからない簡単な方法で分子量マーカー又は検体を保存できる保存方法及び保存容器を提供することを課題としている。
【課題を解決するための手段】
【０００８】
請求項１の発明は、電気泳動にて採用される分子量マーカー又は電気泳動にてその分子量が推定されるタンパク質，抗体等の検体を保存する保存方法であって、前記分子量マーカー又は前記検体を、基部に設けられた格納部に保持させて乾燥させた状態で常温保存することを特徴としている。【０００９】
請求項２の発明は、請求項１に記載の保存方法において、前記格納部は、前記基部に取り付けられた濾紙あるいは不織布等からなり、該濾紙あるいは不織布等に前記分子量マーカー又は検体を塗布した後、常温乾燥または減圧乾燥することを特徴としている。【００１０】
請求項３の発明は、請求項２に記載の保存方法において、前記分子量マーカーは、グリセロールを含まない状態で前記格納部に塗布されていることを特徴としている。【００１１】
請求項４の発明は、請求項３に記載の保存方法において、前記グリセロールを含まない分子量マーカーに糖、アルコール、化合物等の保護剤を混合してなる混合液を前記格納部に塗布した後、常温乾燥又は減圧乾燥することを特徴としている。【００１２】
請求項５の発明は、請求項１又は２に記載の保存方法において、前記分子量マーカー又は検体が塗布された格納部を乾燥させた後、密閉した状態で保存することを特徴としている。【００１３】
請求項６の発明は、請求項１ないし５の何れかに記載の保存方法において、前記格納部は、泳動用ゲルに形成された収納凹部に差し込んだ状態で電気泳動装置に供されることを特徴としている。【００１４】
請求項７の発明は、電気泳動にて採用される分子量マーカー又は電気泳動にてその分子量が推定されるタンパク質，抗体等の検体を保存する保存容器であって、基部と、該基部の一端部に形成された支持部と、該支持部に取り付けられた格納部とを有し、該格納部に前記分子量マーカー又は前記検体が乾燥した状態で格納されていることを特徴としている。【００１５】
請求項８の発明は、請求項７に記載の保存容器において、前記格納部は、泳動用ゲルに形成された収納凹部に差し込んだ状態で電気泳動装置に供されることを特徴としている。【００１６】
請求項９の発明は、請求項７又は８に記載の保存容器において、前記基部は、帯板状をなし、前記支持部の反対側端部が連結板に所定間隔をあけて並列に、かつ切り離し可能に連結されていることを特徴としている。
【発明の効果】
【００１７】
請求項１の発明によれば、基部に設けられた格納部に分子量マーカー又は検体を乾燥させた状態で常温保存するようにしたので、従来のように冷凍保存する場合に比べて、冷凍庫等の設備を不要にでき、コストを低減できるとともに、簡単な方法で長期間保存することができ、また使用時の手間のかかる解凍作業を不要にでき、使い勝手を改善できる。【００１８】
また乾燥させた状態の分子量マーカー又は検体をそのまま電気泳動装置に供することができ、従来のような手間のかかる分注作業を不要にでき、この点からもコストを低減できる。【００１９】
請求項２の発明では、分子量マーカー又は検体を濾紙あるいは不織布等に塗布した後、乾燥させることにより保存したので、分子量マーカー又は検体を安定した状態で長期間保存することが可能となる。【００２０】
請求項３の発明では、グリセロールを含まない分子量マーカーを格納部に塗布するようにしたので、乾燥工程における分子量マーカーへの阻害を防止できる。【００２１】
即ち、一般的に分子量マーカーは、電気泳動用ゲルに供される際に、該ゲル内に作成する特定のスリッドの中に沈殿させる必要がある。そのため、分子量マーカーには、該マーカー自体を沈殿させるためにグリセロール（グリセリン）を含有させるようにしている。【００２２】
このようなグリセロールは、吸湿性が非常に高い特性を有しており、−２０度に冷凍保存し、使用時に凍結融解するようにした従来の溶液タイプの分子量マーカーには有効であるものの、分子量マーカーを乾燥させた状態で保存するようにした本発明の分子量マーカーには不向きである。そこでグリセロールを含まない分子量マーカーを準備することが好ましい。【００２３】
請求項４の発明では、分子量マーカーを糖、アルコール、化合物等の保護剤とともに混合し、この混合液を格納部に塗布した後、常温乾燥又は減圧乾燥したので、乾燥させる際の分子量マーカーの分子構造等を安定化させることができ、長期間の保存が可能となる。【００２４】
またグリセロールを含まない分子量マーカーに保護剤を混和することにより、該保護剤が、前述の分子量マーカーを安定保護する機能と、電気泳動に供する際に分子量マーカーを沈殿させる機能とを併せ持つこととなり、グリセロールを除去したことによる影響を回避できる。【００２５】
請求項５の発明では、分子量マーカー又は検体が塗布された格納部を密閉した状態で保存するようにしたので、空気や水分等による汚染により劣化するのを防止することができ、保存期間をより延長することが可能となる。【００２６】
請求項６，８の発明では、格納部を泳動用ゲルに形成された凹部に差し込んだ状態で電気泳動装置に供するようにしたので、乾燥状態の分子量マーカー又は検体をそのまま使用することができ、従来のような手間のかかる分注作業を不要にできる。【００２７】
請求項７の発明に係る保存容器によれば、基部の一端部に形成された支持部に取り付けられた格納部に分子量マーカー又は検体を乾燥させた状態で保存するようにしたので、前述のように冷凍庫等の設備を不要にできるとともに、使用時の溶解作業を不要にでき、請求項１と同様の効果が得られる。【００２８】
また保存容器に注入機能を有する格納部を一体的に設けたので、ハンドリングが容易となり、保存状態のまま電気泳動に供することができ、研究者の手技が要求される分注作業を不要にできる。【００２９】
請求項９の発明では、基部の支持部の反対側端部を連結板に並列に、かつ切り離し可能に連結したので、多数の分子量マーカー又は検体をまとめて保存することができるとともに、必要に応じて基部を連結板から切り離して使用することができる。
【図面の簡単な説明】
【００３０】
【図１】本発明の実施例１による分子量マーカーの保存容器の正面図である。
【図２】前記保存容器の側面図である。
【図３】前記分子量マーカーの泳動用ゲルを示す概略構成図である。
【図４】本発明の実施例２による保存容器の図（図４（ａ）は正面図、図４（ｂ）は側面図）である。
【図５】前記実施例の格納部の変形例を示す正面図である。
【発明を実施するための形態】
【００３１】
以下、本発明の実施の形態を添付図面に基づいて説明する。
【実施例１】
【００３２】
図１ないし図３は、本発明の実施例１による分子量マーカー又はタンパク質，抗体等の検体を保存する保存方法及び保存容器を説明するための図である。本実施例では、分子量マーカーを保存する場合を説明する。【００３３】
図において、１は分子量マーカーの保存容器を示している。この保存容器１は、複数本（本実施例では８本）のスティック状基部２の一端部を共通の連結板３に所定間隔をあけて並列に一体に連結した構造を有する。【００３４】
前記各基部２の他端部の連結板３との連結部には、薄肉状の切り離し部２ｂが一部を切り欠くことにより形成されている。これにより各基部２は連結板３から容易に切り離すことが可能となっている。【００３５】
前記各基部２の下端部には、大略フォーク形状をなす支持部２ａが一体に形成されており、各支持部２ａには長方形状の格納部４が設けられている。この各支持部２ａには、スリット２ｃが該支持部２ａの厚みを二分するように形成されており、該スリット２ｃに格納部４がインサート成形により一体的に形成されている。【００３６】
前記各格納部４には、タンパク質分子量マーカーが乾燥させた状態で格納され、常温保存されている。前記各格納部４は、濾紙あるいは不織布等からなり、該濾紙あるいは不織布等に前記分子量マーカーが格納され、保存されている。【００３７】
前記分子量マーカーは、基準となるタンパク質に糖、アルコール、化合物等からなる保護剤を混合してなる混合液を前記格納部４に塗布した後、例えば１５℃以下の室温で自然乾燥させるか、あるいは真空ポンプ等により減圧乾燥させることにより、格納部４に浸透付着されている。この後、保存容器１は不図示の密閉容器に収容した状態で保存される。これにより４〜２０℃の室温で３〜６ヶ月の保存が可能となっている。また前記分子量マーカーは、グリセロールを含まない状態で乾燥処理されている。【００３８】
ここで、タンパク質，あるいは抗体等からなる検体を保存する場合においても、前記分子量マーカーと同様の保存方法及び保存容器が採用される。【００３９】
図３（ａ），（ｂ）において、５はポリアクリルアミドゲル電気泳動（ＳＤＳ−ＰＡＧＥ）に採用される泳動用ゲルを示している。この泳動用ゲル５の上縁部には、前記格納部４に対応した大きさ，形状及び厚みを有する多数の収納凹部５ａ，５ａが形成されている。【００４０】
分析対象となるサンプルタンパク質の検体から分子量を求めるには、前記密閉容器から保存容器１を取り出し、連結板３から基部２を、本実施例の場合は、２本切り離し、手又はピンセット等により各基部２の格納部４を泳動用ゲル５の左，右端の収納凹部５ａに差し込み、残りの収納凹部５ａにサンプルタンパク質の検体を分注する。この間に格納部４に格納されている分子量マーカーが収納凹部５a内に放出されるため、サンプルタンパク質の分注終了と共に格納部４を取り外し、泳動を開始する。泳動終了後、染色作業を行うことにより、各サンプルタンパク質の泳動距離が検出され、左，右端の分子量マーカーの泳動距離と比較することにより各サンプルタンパク質の分子量が推定される。なお、使用済みの基部４は産業廃棄物として処理される。【００４１】
このように本実施例によれば、スティック状の基部２に一体的に設けられた格納部４に分子量マーカー及びサンプルタンパク質の検体を乾燥させた状態で常温保存するようにしたので、従来のように冷凍保存する場合に比べて、コストを低減できるとともに、簡単な方法で長期間保存することができ、また使用時の手間のかかる解凍作業を不要にでき、使い勝手を改善できる。【００４２】
また乾燥させた状態の分子量マーカー及び検体をそのまま電気泳動装置に供することができるので、従来のような手間のかかる分注作業を不要にでき、この点からもコストを低減できる。【００４３】
本実施例では、分子量マーカー及び検体を濾紙あるいは不織布等に塗布することにより保存したので、空気中の水分等による汚染を防止でき、分子量マーカー及び検体を安定した状態で長期間保存することが可能となる。【００４４】
また分子量が既知のタンパク質を糖、アルコール、化合物等の保護剤に混合し、この混合液を格納部４に塗布した後、常温乾燥又は減圧乾燥するようにしたので、乾燥させる際の分子量マーカーの分子構造を安定化させることができ、ひいては長期間の保存が可能となる。即ち、分子量マーカーをそのまま乾燥させると、乾燥時に分子量マーカーの分子構造が壊れるおそれがある。本実施例では、分子量マーカーを糖、アルコール、化合物等により保護したので、分子構造を安定させることができる。【００４５】
前記分子量マーカーをグリセロールを含有させない状態で乾燥させたので、乾燥工程における分子量マーカーへの影響を防止できる。またグリセロールを含まない分子量マーカーに糖、アルコール、化合物等の保護剤を混和したので、該保護剤が、分子量マーカーを安定保護する機能と、電気泳動に供する際に分子量マーカーを沈殿させる機能との両方を併せ持つこととなり、グリセロールを除去したことによる影響を回避できる。【００４６】
本実施例では、前記分子量マーカー及び検体が塗布された各格納部４を密閉容器等により密閉した状態で保存するようにしたので、空気や水分等の汚染による劣化を防止することができ、保存期間を大幅に延長することが可能となる。【００４７】
また前記格納部４を泳動ゲル５に形成された収納凹部５ａに差し込んだ状態で電気泳動装置に供するようにしたので、乾燥状態の分子量マーカー及び検体をそのまま使用することができ、従来のような手間のかかる分注作業を不要にできる。【００４８】
本実施例の保存容器１によれば、前記基部２の先端部にフォーク形状の支持部２ａを一体に形成し、該支持部２ａにインサート成形された格納部４に前記分子量マーカー及び検体を乾燥させた状態で保存するようにしたので、前述のように冷凍庫等の設備を不要にできるとともに、使用時の解凍作業を不要にできる。【００４９】
また保存容器１に、前記泳動用ゲル５の収納凹部５ａに挿入される格納部４を一体に設けたので、ハンドリングが容易となり、保存状態のまま電気泳動装置に供することができ、研究者の手技が要求される分注作業を不要にできる。【００５０】
さらに前記各基部２を共通の連結板３に並列に、かつ切り離し可能に連結したので、多数の分子量マーカーあるいは検体をまとめて保存することができるとともに、必要に応じて基部を連結板から切り離して使用することができる。
【実施例２】
【００５１】
図４（ａ），（ｂ）は、本発明の実施例２による保存容器を説明するための図である。図中、図１と同一符号は同一又は相当部分を示す。【００５２】
本実施例の保存容器１は、１０連からなる基部２の上端を共通の連結部３に一体に連結した構造を有する。この各基部２の下端部には、平板状の支持部２ａ′が一体に形成されており、該支持部２ａ′に濾紙あるいは不織布等からなる長方形状の格納部４′が接着固定されている。この格納部４′は幅が約1.0ｍｍからそれ以上のものである。【００５３】
本実施例では、各基部２の支持部２ａ′を平板状のものとし、該支持部２ａに格納部４′を貼り付けたので、前記実施例１の支持部に比べて構造を簡単にできる。【００５４】
なお、前記実施例１，２では、格納部４，４′を長方形状のものとした場合を説明したが、本発明の格納部についての形状はこれに限られるものではなく、例えば、図５に示すように、格納部７を先端程細くなる尖り部７ａを有するホームベース型に形成してもよい。このようにした場合には、泳動用ゲルへの差込みを容易に行なうことができる。
【符号の説明】
【００５５】
１  保存容器
２  基部
２ａ，２ａ′  支持部
３  連結板
４，４′，７  格納部
５  泳動用ゲル
５ａ  収納凹部
【図１】
2014042150.tif 000003
【図２】
2014042150.tif 000004
【図３】
2014042150.tif 000005
【図４】
2014042150.tif 000006
【図５】
2014042150.tif 000007
【国際調査報告】
2014042150.tif 000008
2014042150.tif 000009
2014042150.tif 000010
2014042150.tif 000011